(57)【要約】【課題】車体とスライド部材との間に架け渡されるワイヤハーネスの渡り部の長さをスライド部材のオーバーストローク時を考慮して長めに設定しなくてもオーバーストロークに滑らかに対応でき、ワイヤハーネスの渡り部の弛みを防止できる。【解決手段】ワイヤハーネスは車体側に設けた支持部材とスライド部材側に設けた支持部材とに支持され、スライド部材側に設けた支持部材の両側壁の内面にコイルバネが取り付けられると共に、コイルバネに両側部が連結されたスライダーが両側方に移動可能に保持されて該スライダーにワイヤハーネスが挿通保持され、スライド部材がスライド完了位置からさらにオーバーストロークする場合には、スライダーがスライド部材のオーバーストローク量だけオーバーストローク方向と反対方向にスライドする。【選択図】図３
2010136593.tif 000002
【特許請求の範囲】
【請求項１】
車体とスライド部材との間に架け渡されるワイヤハーネスの配索構造であって、
前記ワイヤハーネスを車体側に設けた支持部材とスライド部材側に設けた支持部材とで支持し、
前記スライド部材側には、前記ワイヤハーネスを挿通保持したスライダーを設け、該スライダーの両側を前記支持部材の両側壁の内面に設けたコイルバネに連結して両側方に移動可能に保持し、
前記スライド部材が所定のスライド完了位置からさらにオーバーストロークする場合には、前記スライダーが前記両側のコイルバネを伸縮させて前記スライド部材のオーバーストローク量だけオーバーストローク方向と反対方向にスライドし、
前記オーバーストローク後は、前記スライド部材が所定のスライド完了位置に戻ると共に、前記スライダーも前記伸縮されたコイルバネの弾性力によりオーバーストローク直前の元の位置に戻される構成としていることを特徴とするワイヤハーネスの配索構造。
【請求項２】
前記ワイヤハーネスの渡り配索部分を外装材で外装し、
前記スライダーは、前記外装材の端部を嵌合保持してワイヤハーネスを挿通する回転部材を水平方向に回転可能に支持していると共に、前記スライダーには、前記回転部材から引き出されたワイヤハーネスをスライド部材側に引き出すための引き出し通路を設けている請求項１に記載のワイヤハーネスの配索構造。
【請求項３】
前記スライド部材がスライドドアであり、前記スライドドアのオーバーストローク量が２０〜３０ｍｍである請求項１または請求項２に記載のワイヤハーネスの配索構造。
【発明の詳細な説明】
【技術分野】
【０００１】
本発明は自動車用ワイヤハーネスの配索構造に関し、詳しくは、車体とスライド部材との間に架け渡されるワイヤハーネスの渡り部の長さを、スライド部材のオーバーストローク時を考慮して長めに設定しなくても、オーバーストロークに対応できるものである。
【背景技術】
【０００２】
従来、自動車のスライドドアなどのスライド部材内の電装品に常時給電するために、車体とスライド部材との間にワイヤハーネスが架け渡されている。この種の配索構造として、例えば、図８に示すように、複数のリンク部材１を線状に連結させたキャタピラ状のケーブルガイド２にワイヤハーネスＷ／Ｈを挿通し、前記ケーブルガイド２の両端部を車体３とスライドドア４とに設けられた回転機構を備えた支持部材５、６に連結してワイヤハーネスＷ／Ｈを支持部材５、６に支持させることにより、車体３とスライドドア４との間にワイヤハーネスＷ／Ｈを渡り配索する構造が提案されている（特開２００６−３２７３２８号公報参照）。前記キャタピラ状のケーブルガイド２は、電線を保護する機能のほか、ワイヤハーネスＷ／Ｈの屈曲を制御し、車体とのクリアランスをとることによって周辺部材との干渉を防止する機能を有している。
【０００３】
また、前記ケーブルガイド２にかえて、環状の山部と谷部が軸線方向に交互に設けられたコルゲートチューブをワイヤハーネスの外装材として用い、その両端部を、回転機構を設けた支持部材に支持させる場合もある。
【０００４】
一方、スライドドアを急開または急閉すると、スライドドアがオーバーストロークする場合がある。スライド部材のオーバーストロークとは、スライド部材の通常のスライド量を超えてスライドすることをいい、前記スライド部材がスライドドアの場合には、スライドドアの急開や急閉によって、通常のドア開閉動作によるドア全開位置あるいはドア全閉位置を通り越した地点までスライドすることをいう。例えば、スライドドアを備えた乗用車の場合、スライド完了位置であるドア全開位置あるいはドア全閉位置を通過して２０〜３０ｍｍの地点までオーバーストロークする場合があり、その後、スライドドアはドア全開位置、ドア全閉位置に戻される。
【０００５】
前記のようなワイヤハーネスの配索構造では、スライドドア４がオーバーストロークすると、車体側の支持部材５からスライドドア側の支持部材６までの距離が広がるため、車体３とスライドドア４との間に架け渡すワイヤハーネスＷ／Ｈの渡り部の長さは、スライドドア４のオーバーストローク時を考慮して、通常の開閉動作のために必要な長さより長めに設定する必要がある。しかし、前記構成とすると、スライドドア４の通常の開閉時には、ワイヤハーネスＷ／Ｈのオーバーストローク分の長さが余分となって渡り部に弛みが生じ、見栄えが悪化すると共に、乗員の乗降などの際に前記弛んだ渡り部が踏み付けられワイヤハーネスが損傷するおそれもある。
【０００６】
【特許文献１】特開２００６−３２７３２８号公報
【発明の開示】
【発明が解決しようとする課題】
【０００７】
本発明は前記問題に鑑みてなされたものであり、車体とスライド部材との間に架け渡されるワイヤハーネスの渡り部の長さをスライド部材のオーバーストローク時を考慮して長めに設定しなくてもオーバーストロークに滑らかに対応でき、よって、ワイヤハーネスの渡り部の弛みを防止できることを課題としている。
【課題を解決するための手段】
【０００８】
前記課題を解決するため、本発明は、車体とスライド部材との間に架け渡されるワイヤハーネスの配索構造であって、
前記ワイヤハーネスを車体側に設けた支持部材とスライド部材側に設けた支持部材とで支持し、
前記スライド部材側には、前記ワイヤハーネスを挿通保持したスライダーを設け、該スライダーの両側を前記支持部材の両側壁の内面に設けたコイルバネに連結して両側方に移動可能に保持し、
前記スライド部材が所定のスライド完了位置からさらにオーバーストロークする場合には、前記スライダーが前記両側のコイルバネを伸縮させて前記スライド部材のオーバーストローク量だけオーバーストローク方向と反対方向にスライドし、
前記オーバーストローク後は、前記スライド部材が所定のスライド完了位置に戻ると共に、前記スライダーも前記伸縮されたコイルバネの弾性力によりオーバーストローク直前の元の位置に戻される構成としていることを特徴とするワイヤハーネスの配索構造を提供している。
【０００９】
前記のように、スライド部材側に設けられた支持部材の内部に、両側部がコイルバネで連結されたスライダーを左右方向の両側方向に移動可能に保持し、該スライダーにワイヤハーネスを挿通支持させている。よって、スライド部材が通常のスライド動作におけるスライド完了位置を越えてオーバーストロークする場合には、前記スライダーは、挿通されるワイヤハーネスの渡り部に引っ張られ、両側のコイルバネを伸縮させながらスライド部材のオーバーストローク量だけオーバーストローク方向と反対方向にスライドすることが可能となる。即ち、前記支持部材が固定されたスライド部材がオーバーストロークしても、前記スライダーは支持部材内でオーバーストロークした分だけ反対側にスライドできるため、ワイヤハーネスの渡り部はオーバーストロークのための余分な長さを加えることなく通常のスライド動作に必要な長さのままで、スライド部材のオーバーストロークにも対応することができる。よって、ワイヤハーネスの渡り部の弛みを防止することができる。
【００１０】
また、支持部材に移動可能に保持したスライダーにワイヤハーネスを挿通させることにより、スライド部材の動きに応じてスライダーを支持部材内で適宜スライドさせながら、ワイヤハーネスをスライド部材に追従させることができる。したがって、渡り配索されるワイヤハーネスは、常に最適な姿勢を保ちながら滑らかに変形することができる。
前記スライダーの両側部に連結するコイルバネとしては、スライド部材のオーバーストローク量に相当する長さを伸縮できるコイルバネであれば特に限定されない。
【００１１】
前記ワイヤハーネスの渡り配索部分を外装材で外装し、
前記スライダーは、前記外装材の端部を嵌合保持してワイヤハーネスを挿通する回転部材を水平方向に回転自在に支持していると共に、前記スライダーには、前記回転部材から引き出されたワイヤハーネスをスライド部材側に引き出すための引き出し通路を設けていることが好ましい。
【００１２】
前記のように、ワイヤハーネスの渡り配索部分を外装材で外装することにより、ワイヤハーネスを露出させることなくしっかりと保護することができる。外装材としては、複数のリンク部材を所定角度回転可能に線状に連結させたキャタピラ状のケーブルガイドや、コルゲートチューブなどが挙げられる。
【００１３】
また、前記スライダーに回転部材を水平方向に回転可能に支持させると共に、該回転部材に前記外装材の端部を嵌合保持させてワイヤハーネスを挿通する構成とすることにより、スライド部材の水平方向の動きに応じて前記回転部材を回転させながら、渡り配索されるワイヤハーネスをスライド部材にスムーズに追従させることができる。
【００１４】
前記回転部材の構造としては、例えば、回転部材の一端側に前記外装材の端部と嵌合する嵌合部を設ける一方、前記回転部材の他端側の上面に、ワイヤハーネスを引き出すための筒部を上方に突出させると共に、前記他端側の下面にも前記上面側の筒部と対応する位置に筒部を下方に突出させて、前記上下に突出させた筒部を回転軸として機能させることができる。即ち、前記スライダーの上下面に設けた上下の貫通穴に、前記上下に突出させた筒部をそれぞれ貫通させて該筒部を軸支することにより、前記スライダーは回転部材を水平方向へ回転可能に支持することができる。
なお、前記上方に突出させた回転部材の筒部を、スライダーに設けた引き出し通路に連続させることにより、回転部材から引き出されたワイヤハーネスを引き出し通路を経てスライド部材側に引き出すことができる。
【００１５】
前記スライド部材がスライドドアであり、前記スライドドアのオーバーストローク量が２０〜３０ｍｍであることが好ましい。
【００１６】
スライドドアを備えた乗用車の場合、スライドドアを急開したり急閉したりすると、スライド完了位置となるスライドドア全開位置、全閉位置から２０ｍｍ〜３０ｍｍ程度さらにオーバーストロークし、その後、スライドドアは前記全開位置、全閉位置に戻される。しかし、本発明の構成によれば、車体側とスライドドア側との間に架け渡されるワイヤハーネスの長さを通常のドア開閉動作に必要な長さのままでスライドドアのオーバーストロークにも対応できるため、ワイヤハーネスの渡り部の弛みを効果的に防いで見栄え良くすることができると共に、弛んだ渡り部を乗員が踏み付けることもないため、ワイヤハーネスの損傷も防止できる。
【００１７】
以上、前記スライダーを備えた支持部材をスライドドアなどのスライド部材に設けた場合を述べたが、車体側に前記構成の支持部材を設けても同様の効果が得られる。即ち、スライド部材のオーバーストローク時には、車体側支持部材内のスライダーがワイヤハーネスの渡り部に引っ張られ、この場合はオーバーストローク方向と同方向にオーバーストローク量だけスライド可能となる。したがって、ワイヤハーネスの渡り部はオーバーストロークのための余分な長さを加えることなく通常のスライド動作に必要な長さのままで、スライド部材のオーバーストロークに対応することができる。
【発明の効果】
【００１８】
前述したように、本発明によれば、スライド部材側に設けられた支持部材の内部に、両側部がコイルバネで連結されたスライダーを左右方向に移動可能に保持し、該スライダーにワイヤハーネスを挿通支持させる構成としているため、スライド部材が通常のスライド動作におけるスライド完了位置を越えてオーバーストロークする場合には、前記スライダーは両側のコイルバネを伸縮させながらスライド部材のオーバーストローク量だけオーバーストローク方向と反対方向にスライドすることが可能となる。即ち、支持部材が固定されたスライド部材がオーバーストロークしても、前記スライダーは支持部材内でオーバーストローク分だけ反対側にスライドできるため、ワイヤハーネスの渡り部はオーバーストロークのための余分な長さを加えることなく通常のスライド動作に必要な長さのままで、スライド部材のオーバーストロークにも対応することができ、ワイヤハーネスの渡り部の弛みを防止できる。
【００１９】
特に、車体とスライドドアとの間に架け渡されるワイヤハーネスの配索構造において、スライドドア側に設けた支持部材を前記構成とすることにより、車体側とスライドドア側との間に架け渡されるワイヤハーネスの弛みを効果的に防いで見栄え良くすることができると共に、弛んだ渡り部を乗員が踏み付けることもないため、ワイヤハーネスの損傷も防止できる。
【発明を実施するための最良の形態】
【００２０】
本発明の実施形態を図面を参照して説明する。
図１乃至図４に本発明の第１実施形態を示す。図１に示すように、車体１０とスライドドア１１との間にワイヤハーネスＷ／Ｈを架け渡し、車体１０側に設けた支持部材１２とスライドドア１１側に設けた支持部材１３とにワイヤハーネスＷ／Ｈを支持させている。スライドドア１１側の支持部材１３は、ボルト貫通穴１３ａにボルト（図示せず）を通して締結することによりスライドドア１１側に固定し、車体１０側の支持部材１２も同様にボルト締結により車体１０側に固定している。また、車体１０とスライドドア１１との間に架け渡されるワイヤハーネスＷ／Ｈの渡り部には、コルゲートチューブからなる外装材１４を外装している。
【００２１】
図２に示すように、スライドドア１１側に設けた支持部材１３の両側壁１３ｂの内面にコイルバネ１５を取り付けていると共に、該コイルバネ１５に両側部１６ａを連結させたスライダー１６を支持部材１３に設けている。即ち、スライドドア１１側の支持部材１３は、スライダー１６を左右方向の両側方向に移動可能に保持している。左右のコイルバネ１５は、スライドドア１１がオーバーストロークしたときのオーバーストローク量（本実施形態では２０〜３０ｍｍ程度）に相当する長さを伸縮できる同一のコイルバネを用いている。
【００２２】
また、スライダー１６は、外装材１４の端部を嵌合保持してワイヤハーネスＷ／Ｈを挿通する回転部材１７を水平方向に回転可能に支持している。本実施形態では、回転部材１７の一端側１７ａの内周面に、外装材１４であるコルゲートチューブの端部の凹凸と嵌合する環状の凹凸（図示せず）を設けていると共に、回転部材１７の他端側１７ｂの上面に、ワイヤハーネスＷ／Ｈを引き出すための筒部１７ｃを上方に突出させ、下面にも前記上面側の筒部と対応する位置に筒部（図示せず）を下方に突出させて、前記上下に突出させた筒部１７ｃを回転軸として機能させている。即ち、スライダー１６の上下面に設けた上下の貫通穴１６ｂに、上下に突出させた筒部１７ｃをそれぞれ貫通させて該筒部１７ｃを軸支することにより、スライダー１６が回転部材１７を水平方向へ回転可能に支持している。
【００２３】
また、スライダー１６には、回転部材１７から引き出されたワイヤハーネスＷ／Ｈをスライドドア１１側に引き出すための引き出し通路１６ｃを設けており、前記上方に突出させた回転部材１７の筒部１７ｃを、スライダー１６に設けた引き出し通路１６ｃに連続させることにより、回転部材１７から引き出されたワイヤハーネスＷ／Ｈを、引き出し通路１６ｃを経てスライドドア１１側に引き出せるようにしている。
【００２４】
一方、車体１０側に設けた支持部材１２には、前記のようなスライダーは設けず、支持部材１２が回転部材１７を直接支持する構造としている。
【００２５】
図１は、本実施形態において車体１０とスライドドア１１との間に架け渡されるワイヤハーネスＷ／Ｈの配索構造を示しており、図１のＰ１はスライドドア全閉位置、Ｐ３はスライドドア全開位置、Ｐ２はその中間位置における配索状態を示している。通常のスライドドアの開閉動作では、スライドドア１１はスライドドア全閉位置Ｐ１から中間位置Ｐ２を通ってスライドドア全開位置Ｐ３に至る動作軌跡Ｔを描く。
【００２６】
一方、スライドドア全閉位置Ｐ１からスライドドア１１を急開した場合には、スライドドア１１は全開位置Ｐ３を２０〜３０ｍｍ程度通り越した位置Ｐ４までオーバーストロークした後、全開位置Ｐ３に戻る。図３（Ａ）は全開位置Ｐ３におけるスライドドア側支持部材１３の状態を示し、図３（Ｂ）はオーバーストローク位置Ｐ４におけるスライドドア側支持部材１３の状態を示している。スライドドア１１が全開位置Ｐ３を超えてＰ４までオーバーストロークする場合には、支持部材１３内のスライダー１６はワイヤハーネスＷ／Ｈの渡り部に引っ張られて、両側のコイルバネ１５を伸縮させながらスライドドア１１のオーバーストローク量だけオーバーストローク方向［図１において左方向（車両後方向）］と反対方向［図１において右方向（車両前方向）］にスライドする［図３（Ｂ）］。即ち、図１のように、支持部材１３が所定量オーバーストロークして斜線を施したＰ４の位置に来ても、スライダー１６は支持部材１３内でオーバーストロークした分だけ反対側にスライドできるため、オーバーストローク位置Ｐ４でのスライダー１６の位置は、車体１０側から見ると、全開位置Ｐ３でのスライダー１６の位置と同じ位置となる。
【００２７】
また、スライドドア全開位置Ｐ３からスライドドア１１を急閉した場合には、スライドドア１１は全閉位置Ｐ１を２０〜３０ｍｍ程度通り越した位置Ｐ０までオーバーストロークした後、全閉位置Ｐ１に戻る。図４（Ａ）は全閉位置Ｐ１におけるスライドドア側支持部材１３の状態を示し、図４（Ｂ）はオーバーストローク位置Ｐ０におけるスライドドア側支持部材１３の状態を示している。スライドドア１１が全閉位置Ｐ１を超えてＰ０までオーバーストロークする場合には、支持部材１３内のスライダー１６はワイヤハーネスＷ／Ｈの渡り部に引っ張られて、両側のコイルバネ１５を伸縮させながらスライドドア１１のオーバーストローク量だけオーバーストローク方向［図１において右方向（車両前方向）］と反対方向［図１において左方向（車両後方向）］にスライドする［図４（Ｂ）］。即ち、図１のように、支持部材１３が所定量オーバーストロークして斜線を施したＰ０の位置に来ても、スライダー１６は支持部材１３内でオーバーストロークした分だけ反対側にスライドできるため、オーバーストローク位置Ｐ０でのスライダー１６の位置は、車体１０側から見ると、全閉位置Ｐ１でのスライダー１６の位置と同じ位置となる。
【００２８】
したがって、ワイヤハーネスＷ／Ｈの渡り部はオーバーストロークのための余分な長さを加えることなく通常のスライドドア１１の開閉動作に必要な長さのままで、スライドドア１１のオーバーストロークにも対応することができるため、ワイヤハーネスＷ／Ｈの渡り部の弛みを防止し、見栄え良くすることができる。また、弛んだ渡り部を乗員が踏み付けることもないため、ワイヤハーネスＷ／Ｈの損傷も防止できる。
【００２９】
なお、オーバーストローク後は、スライドドア１１が全開位置Ｐ３、全閉位置Ｐ１に戻ると共に、スライダー１６も伸縮されたコイルバネ１５の弾性力により、図３（Ａ）、図４（Ａ）に示すスライダー位置に戻される。
【００３０】
図５〜図７は第２実施形態を示している。第２実施形態では、図５に示すように、渡り配索されるワイヤハーネスＷ／Ｈの外装材２０として、リンク部材２１を所定角度回転可能に連結したキャタピラ状のケーブルガイドを用いている点以外は第１実施形態と同様としている。図６はケーブルガイド２０を構成するリンク部材２１を示し、図７はリンク部材２１が連結された状態を示している。ケーブルガイド２０を構成するリンク部材２１は、図６（Ｂ）に示すように断面矩形の筒形状を有し、中空部分にワイヤハーネスＷ／Ｈを挿通する。リンク部材２１の一端側には回転軸として機能する上下一対の凸部２２を設けていると共に、他端側には連結する相手側リンク部材２１の凸部２２を軸支する上下一対の受け穴２３を設けている。また、リンク部材２１の一端側には上下一対の当接部２４を設けていると共に、他端側には連結する相手側リンク部材２１の当接部２４に当接され相手側リンク部材２１の回転角度を規制する上下一対の被当接部２５を突出させている。
【００３１】
第２実施形態においても、第１実施形態と同様、ワイヤハーネスＷ／Ｈの渡り部はオーバーストロークのための余分な長さを加えることなく通常のスライドドア１１の開閉動作に必要な長さのままで、スライドドア１１のオーバーストロークにも対応することができるため、ワイヤハーネスＷ／Ｈの渡り部の弛みを防止することができる。また、ワイヤハーネスＷ／Ｈに外装するケーブルガイド２０の長さも必要最小限に抑えることができるため、重量化や高コスト化も抑制される。
【図面の簡単な説明】
【００３２】
【図１】本発明の第１実施形態におけるワイヤハーネスの配索構造を示す図である。
【図２】スライドドア側の支持部材を示す概略斜視図である。
【図３】（Ａ）は全開位置Ｐ３におけるスライドドア側支持部材の状態を示し、（Ｂ）はオーバーストローク位置Ｐ４におけるスライドドア側支持部材の状態を示す概略斜視図である。
【図４】（Ａ）は全閉位置Ｐ１におけるスライドドア側支持部材の状態を示し、（Ｂ）はオーバーストローク位置Ｐ０におけるスライドドア側支持部材の状態を示す概略斜視図である。
【図５】本発明の第２実施形態におけるワイヤハーネスの配索構造（スライドドア全開状態）を示す図である。
【図６】第２実施形態で用いるケーブルガイドを構成するリンク部材を示し、（Ａ）はリンク部材の側面図、（Ｂ）はリンク部材の正面図、（Ｃ）は（Ａ）、（Ｂ）のＡ−Ａ断面図である。
【図７】リンク部材を連結した状態を示す断面図である。
【図８】従来例を示す図である。
【符号の説明】
【００３３】
１０  車体
１１  スライドドア
１２  車体側支持部材
１３  スライドドア側支持部材
１３ａ  ボルト貫通穴
１３ｂ  両側壁
１４、２０  外装材
１５  コイルバネ
１６  スライダー
１６ａ  両側部
１６ｂ  貫通穴
１６ｃ  引き出し通路
１７  回転部材
１７ａ  一端側
１７ｂ  他端側
１７ｃ  筒部
【図１】
2010136593.tif 000003
【図２】
2010136593.tif 000004
【図３】
2010136593.tif 000005
【図４】
2010136593.tif 000006
【図５】
2010136593.tif 000007
【図６】
2010136593.tif 000008
【図７】
2010136593.tif 000009
【図８】
2010136593.tif 000010